(57)【特許請求の範囲】
【請求項１】
共通電極、
走査信号を伝送する複数のゲートライン、
前記複数のゲートラインと交差し、データ電圧を伝送する複数のデータライン、
前記共通電極によって覆われ、前記複数のゲートラインと前記複数のデータラインとによってマトリックス状に区切られた複数の画素領域のそれぞれに一つずつ形成され、一端が前記共通電極に連結され、前記共通電極と他端との間の電圧に応じて光を透過する複数の液晶キャパシター、
前記複数の画素領域のそれぞれに一つずつ形成され、いずれかのゲートラインから伝送される走査信号に従ってターンオンして、同じ画素領域の液晶キャパシターの他端をいずれかのデータラインに連結する複数のスイッチング素子、及び、
前記複数の画素領域のそれぞれに一つずつ形成され、一端が同じ画素領域の液晶キャパシターの他端に連結されている複数のストレージキャパシター、
を備えた液晶パネル；
走査信号を前記複数のゲートラインに順番に出力するゲートドライバー；
データ電圧を前記複数のデータラインに出力するデータドライバー；
前記共通電極に対して印加される電圧と前記共通電極の実際の電圧との間の差を感知して共通電極歪曲電圧として出力する歪曲感知部；並びに、
前記共通電極歪曲電圧の極性を反転させた電圧を相殺電圧として前記複数のストレージキャパシターの他端に出力する相殺電圧発生部；
を含む液晶表示装置。
【請求項２】
前記歪曲感知部は、一端が前記共通電極に連結された感知抵抗を備え、前記感知抵抗を通して前記共通電極に対して電圧が印加されるときに前記感知抵抗の両端間の電位差を感知して前記共通電極歪曲電圧として出力することを特徴とする、請求項１に記載の液晶表示装置。
【請求項３】
前記歪曲感知部は、前記共通電極に対して電圧が印加されるときに前記液晶パネルの内部抵抗の両端間の電位差を感知して前記共通電極歪曲電圧として出力することを特徴とする、請求項１に記載の液晶表示装置。
【請求項４】
前記相殺電圧発生部は、
非反転入力端子が前記共通電極の電圧を受け、反転入力端子が前記共通電極歪曲電圧を受け、出力端子が前記相殺電圧を出力するＯＰアンプ、
を含む、請求項１に記載の液晶表示装置。
【請求項５】
前記相殺電圧発生部は、
非反転入力端子が前記共通電極の電圧を受け、反転入力端子が前記共通電極歪曲電圧を受け、出力端子が出力電圧を出力するＯＰアンプ、及び、
前記出力電圧から直流成分を除去して、前記出力電圧の交流成分を前記相殺電圧として出力する直流成分除去部、
を含む、請求項１に記載の液晶表示装置。
【請求項６】
前記相殺電圧は、同じ画素領域に含まれる液晶キャパシターとストレージキャパシターとの間の容量比によって決定されることを特徴とする、請求項１に記載の液晶表示装置。
【請求項７】
共通電極、
走査信号を伝送する複数のゲートライン、
前記複数のゲートラインと交差し、データ電圧を伝送する複数のデータライン、
前記共通電極によって覆われ、前記複数のゲートラインと前記複数のデータラインとによってマトリックス状に区切られた複数の画素領域のそれぞれに一つずつ形成され、一端が前記共通電極に連結され、前記共通電極と他端との間の電圧に応じて光を透過する複数の液晶キャパシター、
前記複数の画素領域のそれぞれに一つずつ形成され、いずれかのゲートラインから伝送される走査信号に従ってターンオンして、同じ画素領域の液晶キャパシターの他端をいずれかのデータラインに連結する複数のスイッチング素子、及び、
前記複数の画素領域のそれぞれに一つずつ形成され、一端が同じ画素領域の液晶キャパシターの他端に連結されている複数のストレージキャパシター、
を備えた液晶パネル、
を含む液晶表示装置、を駆動する装置であり、
データ電圧を前記複数のデータラインに出力するデータドライバー；
走査信号を前記複数のゲートラインに順番に出力するゲートドライバー；
前記共通電極に対して印加される電圧と前記共通電極の実際の電圧との間の差を感知して共通電極歪曲電圧として出力する歪曲感知部；及び、
前記共通電極歪曲電圧の極性を反転させた電圧を相殺電圧として前記複数のストレージキャパシターの他端に出力する相殺電圧発生部；
を含む液晶表示装置の駆動装置。
【請求項８】
共通電極、
走査信号を伝送する複数のゲートライン、
前記複数のゲートラインと交差し、データ電圧を伝送する複数のデータライン、
前記共通電極によって覆われ、前記複数のゲートラインと前記複数のデータラインとによってマトリックス状に区切られた複数の画素領域のそれぞれに一つずつ形成され、一端が前記共通電極に連結され、前記共通電極と他端との間の電圧に応じて光を透過する複数の液晶キャパシター、
前記複数の画素領域のそれぞれに一つずつ形成され、いずれかのゲートラインから伝送される走査信号に従ってターンオンして、同じ画素領域の液晶キャパシターの他端をいずれかのデータラインに連結する複数のスイッチング素子、及び、
前記複数の画素領域のそれぞれに一つずつ形成され、一端が同じ画素領域の液晶キャパシターの他端に連結されている複数のストレージキャパシター、
を備えた液晶パネル、
を含む液晶表示装置、を駆動する方法であり、
前記共通電極に対して電圧を印加する段階；
データ電圧を前記複数のデータラインに対して印加する段階；
走査信号をいずれかのゲートラインに対して印加することによって、そのゲートラインに連結されたスイッチング素子をターンオンさせ、前記複数のデータラインに対して印加されたデータ電圧を、ターンオンしたスイッチング素子を通して同じ画素領域の液晶キャパシターとストレージキャパシターとに対して印加する段階；
前記共通電極に対して印加される電圧と前記共通電極の実際の電圧との間の差を感知して共通電極歪曲電圧として出力する段階；
前記共通電極歪曲電圧の極性を反転させた電圧を相殺電圧として生成する段階；及び、
前記相殺電圧を前記複数のストレージキャパシターの他端に供給する段階；
を含む液晶表示装置の駆動方法。
【請求項９】
前記相殺電圧は、同じ画素領域に含まれる液晶キャパシターとストレージキャパシターとの間の容量比によって決定されることを特徴とする、請求項８に記載の液晶表示装置の駆動方法。
【発明の詳細な説明】
【０００１】
【発明の属する技術分野】
本発明は、液晶表示装置とその駆動装置及び駆動方法に関し、より詳しくは、共通電極電圧の歪曲によって発生するクロストークを防止するための液晶表示装置とその駆動装置及び駆動方法に関する。
【０００２】
【従来の技術】
一般に、液晶表示装置の画質中のクロストーク（CROSSTALK）は、液晶パネルの構造上必然的に発生するものであって、十分に調整されないと画質に悪影響を及ぼす。
【０００３】
【発明が解決しようとする課題】
これは、共通電極電圧の歪曲により、データラインを通じて入力される階調電圧と共通電極電圧との差に比例するピクセル充電状態が所望の階調電圧にならないために発生する。
また、共通電極電圧の歪曲現象は、LCD内[水平解像度*３]のデータラインと上板共通電極との間の寄生容量によって発生するもので、データラインの階調電圧がライジング（rising）またはフォーリング（falling）に転移する時、共通電極電圧がライジング電圧やフォーリング電圧にカップリング（coupling）されて発生する。
【０００４】
図１はクロストークを説明するための波形図である。
図１を参照すると、階調電圧レベルと共通電極電圧レベルとの間の差による面積に比例してピクセル充電量が決定されるが、データラインに印加される階調電圧波形の振幅が大きい場合と小さい場合とでは、図示したように面積Ａと面積Ｂとが異なる。
【０００５】
このような面積差によって中間階調電圧などの充電率が異なるため、クロストーク現象が発生する問題点がある。
本発明の技術と課題は、このような従来の問題点を解決するためのものであって、本発明の目的は、共通電極電圧が歪曲してピクセル電圧の充電率が異なっても、これを補償してピクセル電圧の充電率を同一にし、クロストークの発生防止機能を有する液晶表示装置を提供することにある。
【０００６】
また、本発明の他の目的は、前記クロストークの発生防止機能を有する液晶表示装置の駆動装置を提供することにある。
また、本発明の他の目的は、前記クロストークの発生防止機能を有する液晶表示装置の駆動方法を提供することにある。
【０００７】
【課題を解決するための手段】
前記本発明の目的を実現するための一つの特徴による液晶表示装置は、
画像信号を出力するデータドライバーと;
走査信号を順次出力するゲートドライバーと;
前記走査信号の印加に応答して前記画像信号を伝達するスイッチング素子と、一端を通じて印加される画像信号と他端を通じて印加される共通電極電圧との差電圧によって駆動される液晶キャパシターと、前記スイッチング素子のターンオン時に一端を通じて印加される前記画像信号を蓄積し、前記スイッチング素子のターンオフ時に蓄積された画像信号を一端を通じて前記液晶キャパシターに印加するストレージキャパシターとを備えた液晶パネルと;
前記液晶キャパシターの他端に印加される共通電極電圧の歪曲分を感知して共通電極歪曲電圧を出力する歪曲感知部と;
前記共通電極歪曲電圧に基づいて前記ストレージキャパシターの充電率を上昇させて過剰充電のための相殺電圧を前記ストレージキャパシターの他端に出力する相殺電圧発生部とを含んでなる。
【０００８】
ここで、歪曲感知部は、前記共通電極電圧が前記液晶パネルに印加される前に所定の経路に設置された感知抵抗を備え、前記感知抵抗の両端間の電位差を感知して共通電極歪曲電圧を出力することを一つの特徴とし、前記共通電極電圧が印加される前記液晶パネルの内部抵抗の両端間の電位差を感知して共通電極歪曲電圧を出力することをまた一つの特徴とする。
【０００９】
また、前記相殺電圧発生部は、非反転端を通じて共通電極電圧の提供を受け、反転端を通じて共通電極歪曲電圧の提供を受けて、出力端を通じて相殺電圧を出力するＯＰアンプを含むことを一つの特徴とし、非反転端を通じて共通電極電圧の提供を受け、反転端を通じて共通電極歪曲電圧の提供を受けて、出力端を通じて出力電圧を出力するＯＰアンプ、及び前記出力電圧に含まれる直流成分を除去して交流成分の相殺電圧を出力する直流成分除去部からなることをまた一つの特徴とする。
【００１０】
この時、前記相殺電圧は、前記共通電極歪曲電圧の位相と反転する位相を有すること一つのを特徴とし、前記液晶キャパシターと前記ストレージキャパシターとの容量比によって生成されることをまた一つの特徴とする。
また、前記本発明の他の目的を実現するための一つの特徴による液晶表示装置の駆動装置は、ゲートラインとデータラインとによって囲まれた領域に形成され、前記それぞれのゲートライン及びデータラインに連結されたスイッチング素子と、前記スイッチング素子のターンオン動作によって共通電極電圧と前記データ電圧とに比例するピクセル電圧によって光を透過する液晶キャパシターと、前記スイッチング素子のターンオン時に前記データ電圧を蓄積し、前記スイッチング素子のターンオフ時に蓄積されたデータ電圧を前記液晶キャパシターに印加するストレージキャパシターとを備えたＬＣＤパネルを含む液晶表示装置の駆動装置において、
画像信号を前記データラインに出力するデータドライバーと;
走査信号を前記ゲートラインに順次出力するゲートドライバーと;
前記液晶キャパシターの他端に印加される共通電極電圧の歪曲分を感知して共通電極歪曲電圧を出力する歪曲感知部と;
前記共通電極歪曲電圧に基づいて前記ストレージキャパシターの充電率を上昇させて過剰充電のための相殺電圧を前記ストレージキャパシターの他端に出力する相殺電圧発生部とを含んでなる。
【００１１】
また、前記本発明の他の目的を実現するための一つの特徴による液晶表示装置の駆動方法は、データライン及びゲートラインに連結されたスイッチング素子と、前記スイッチング素子のターンオン動作によって共通電極電圧とデータ電圧とに比例するピクセル電圧によって光を透過する液晶キャパシターと、一端を通じて前記液晶キャパシターの一端に連結され、前記スイッチング素子のターンオン時に前記データ電圧を蓄積し、前記スイッチング素子のターンオフ時に蓄積されたデータ電圧を前記液晶キャパシターに印加するストレージキャパシターとを備えた液晶表示装置の駆動方法において、
（ａ）前記データ電圧を前記データラインに供給する段階と;
（ｂ）前記データラインに印加されたデータ電圧を液晶キャパシターとストレージキャパシターとのそれぞれの一端を通じて蓄積するように走査信号をゲートラインに供給する段階と;
（ｃ）共通電極電圧を液晶キャパシターの他端に供給する段階と;
（ｄ）前記共通電極電圧の歪曲分を感知して共通電極歪曲電圧を出力する段階と;
（ｅ）前記共通電極歪曲電圧の歪曲分を相殺するための相殺電圧を生成する段階と;
（ｆ）前記相殺電圧をストレージキャパシターの一端に供給する段階とを含んでなる。
【００１２】
このような液晶表示装置とその駆動装置及び駆動方法によると、液晶キャパシターに印加される共通電極電圧の歪曲によって不足する充電率を補償するためにストレージキャパシターを過剰充電させることによって、クロストークが最少化した良質の画質を得ることができる。
【００１３】
【発明の実施の形態】
以下、通常の知識を持っている者が本発明を容易に実施することができるように実施例について説明する。
図２は、本発明の実施例による液晶表示装置を説明するための図面であり、図３は、一般に印加される共通電極電圧と本発明によって印加される相殺電圧とを各々説明するための波形図である。特に、図３の（ａ）は共通電極電圧の波形図であり、（ｂ）は本発明によって印加される相殺電圧の波形図である。
【００１４】
図２を参照すると、本発明の実施例による液晶表示装置は、駆動電圧発生部１００、歪曲感知部２００、相殺電圧発生部３００、液晶パネル４００、データドライバー及びゲートドライバーを含む。
駆動電圧発生部１００は、液晶パネル４００内のデータ電圧差の基準となる共通電極電圧（Vcom）を歪曲感知部２００、相殺電圧発生部３００及び液晶パネル４００に各々出力する。
【００１５】
歪曲感知部２００は、駆動電圧発生部１００から共通電極電圧（Vcom）の提供を受けて前記共通電極電圧の歪曲程度を感知して共通電極歪曲電圧（Vcomd）を相殺電圧発生部３００に提供する。
相殺電圧発生部３００は、駆動電圧発生部１００から共通電極電圧（Vcom）の提供を受け、歪曲感知部２００から共通電極歪曲電圧（Vcomd）の提供を受けて、相殺電圧（Vcstd）を液晶パネル４００に提供する。
【００１６】
液晶パネル４００は、マトリックスタイプに具現された多数の画素を含み、駆動電圧発生部１００から共通電極電圧（Vcom）の提供を受け、相殺電圧発生部３００から相殺電圧（Vcstd）の提供を受けて、クロストークが減少した良質の画像をディスプレイする。
より詳しくは、液晶パネルに具現される共通電極ラインには、図３の（ａ）に図示したように、共通電極歪曲電圧が印加されて液晶キャパシターの充電率不足を招いても、図３の（ｂ）に図示したように、充電率不足を補償することができる相殺電圧を出力することによってクロストークの発生を低減させる。
【００１７】
以下、前記液晶パネルに一般に印加される共通電極電圧と本発明によって前記共通電極電圧の歪曲を補償するために印加される相殺電圧とについてより詳細に説明する。
図４は、本発明によって液晶パネルに印加される共通電極電圧と相殺電圧とを説明するための図面であって、液晶パネルに内蔵される画素の等価回路を示す。
【００１８】
図４を参照すると、一般に液晶パネルに内蔵される一つの画素領域は、ゲートライン（GATE LINE）とデータライン（DATE LINE）とによって囲まれた領域に形成されたスイッチング素子（TFT）と、液晶キャパシター（CLC）と、ストレージキャパシター（Cst）とを含む。
スイッチング素子（TFT）はゲートライン及びデータラインに連結され、液晶キャパシター（CLC）はスイッチング素子のターンオン動作によって共通電極電圧（Vcom）とデータ電圧とに比例するピクセル電圧によって所定の光を透過し、ストレージキャパシター（Cst）はスイッチング素子のターンオン時にデータ電圧を蓄積し、スイッチング素子（TFT）のターンオフ時に蓄積されたデータ電圧を液晶キャパシター（CLC）に印加する方式を通じて画像を具現する。
【００１９】
しかし、液晶キャパシター（CLC）には理想的には正極性のデータ電圧と負極性のデータ電圧との基準となる共通電極電圧（Vcom）が印加されなければならないが、実際にはデータラインと液晶キャパシター（CLC）との間の寄生キャパシター（Cpar）によって理想的な共通電極電圧（Vcom）が歪曲されて共通電極歪曲電圧（Vcomd）が印加される。
【００２０】
このような共通電極歪曲電圧の供給は、データラインを通じて入力される階調電圧と共通電極電圧との差に比例してピクセル充電率が低減されてクロストークが発生する原因となる。このため、本発明では、歪曲される共通電極歪曲電圧を補償するためにストレージキャパシター（Cst）に所定の相殺電圧（Ccstd）を印加する。
【００２１】
より詳しくは、既存の共通電極の歪曲によって発生する液晶キャパシター（CLC）の充電率不足分をストレージキャパシター（Cst）に過剰充電させる。
その結果、一つの画素立場で二つのキャパシター（CLC、Cst）による充電率の差によって液晶キャパシター（CLC）の充電率不足分を相殺することができる。つまり、階調を表現するためにデータラインに印加される電圧と、これによって発生する共通電極電圧の歪曲程度とを逆位相としてストレージキャパシター（Cst）に印加する。この時、ストレージキャパシター（Cst）に印加される逆位相の歪曲電圧は、液晶キャパシター（CLC）とストレージキャパシター（Cst）との容量比によって決定される。
【００２２】
例えば、液晶キャパシター（CLC）とストレージキャパシター（Cst）との容量比が１:１である場合には、共通電極歪曲電圧に対して同一の大きさと逆位相を有する相殺電圧をストレージキャパシター（Cst）に印加し、液晶キャパシター（CLC）とストレージキャパシター（Cst）との容量比が２:１である場合には、共通電極歪曲電圧に対して０．５倍の大きさと逆位相とを有する相殺電圧をストレージキャパシター（Cst）に印加する。
【００２３】
このようにすることによって得られる本発明の効果をより詳細に説明する。
まず、共通電極電圧に歪曲が発生しない理想的な状態であると仮定すれば、一つのピクセルに充電される電荷（Q0）は下記の数式１の通りである。
Q0＝CLC・（Vs−Vcom）＋Cst・（Vs−Vcst）        …（数式１）
ここで、CLCは液晶キャパシターのキャパシタンス、Vsは１Ｈ（または１水平時間）の間にデータラインに印加されるデータ電圧、Vcomは歪曲のない共通電極電圧、Cstはストレージキャパシターのキャパシタンス、Vcstは従来のストレージキャパシター（Cst）に印加される電圧である。
【００２４】
一方、共通電極電圧に歪曲が発生して一つのピクセルに充電される電荷（Q1）は下記の数式２の通りである。
Q1＝CLC・（Vs−Vcomd）＋Cst・（Vs−Vcstd）        …（数式２）
ここで、Vcomdは１Ｈ（または１水平時間）の間に発生する共通電極歪曲電圧、Vcstdは相殺電圧である。
【００２５】
したがって、歪曲が発生しないピクセルの充電電荷（Q0）と歪曲が発生したピクセルの充電電荷（Q1）との間の充電量の差（Q0−Q1）を前記数式１と数式２に基づいて計算すると下記の数式３の通りである。
Q0−Q1＝CLC・（Vcomd−Vcom）        …（数式３）
このように、充電率の差によって、これに比例する大きさでクロストークが発生する。
【００２６】
しかし、本発明によって共通電極歪曲電圧（Vcst）の代わりに相殺電圧（Vcstd）をストレージキャパシター（Cst）に印加すれば、ピクセルに充電される電荷（Q2）は下記の数式４の通りである。
Q2＝CLC・（Vｓ−Vcomd）＋Cst・（Vs−Vcstd）        …（数式４）
ここで、Vcstd＝（CLC/Cst）・（Vcomd−Vcom）＋Vcstであるので、共通電極電圧の歪曲がない時にピクセルに充電される電荷（Q0）と比較してみると、下記の数式５の通りである。
Q0−Q2＝CLC・（Vcomd−Vcom）＋Cst・（Vcstd−Vcst）＝０        …（数式５）
前記数式５で言及したように、液晶キャパシター（Cst）に印加される共通電極電圧に歪曲が発生しても充電量の差がゼロ（zero）であるのでクロストークの発生を低減させることができる。
【００２７】
図５ａは前記図２の共通電極電圧感知部の一例を説明するための図面である。図２と図５ａとを参照すると、駆動電圧発生部１００で発生する共通電極電圧（Vcom）が液晶パネル４００に印加される前に所定の感知抵抗（RD）を設置し、設置された感知抵抗（RD）の両端間の電位差で共通電極電圧の歪曲量を感知して共通電極歪曲電圧（Vcomd）を相殺電圧発生部３００に出力する。
【００２８】
図５ｂは前記図２の共通電極電圧感知部の他の一例を説明するための図面である。
図２と図５ｂとを参照すると、駆動電圧発生部１００で発生する共通電極電圧（Vcom）を液晶パネル４００に印加した後、液晶パネル４００の内部抵抗を感知抵抗（RD）として両端間の電位差で共通電極電圧の歪曲量を感知して共通電極歪曲電圧（Vcomd）を相殺電圧発生部３００に出力する。
【００２９】
以下、前記図５ａ、ｂで感知された共通電極歪曲電圧（Vcomd）に基づいて相殺電圧を発生する相殺電圧発生部の一例を説明する。
図６ａは前記図２の相殺電圧発生部の一例を説明するための図面である。
図６ａを参照すると、本発明の一例による相殺電圧発生部は、電源電圧（AVDD）の提供を受けて駆動される第１ＯＰアンプ（OP1）と、第１乃至第３抵抗（R1、R2、R3）と、第１キャパシター（C1）とを含む。
【００３０】
より詳しくは、第１ＯＰアンプ（OP1）の非反転入力端は共通電極電圧（Vcom）に連結され、反転入力端は並列連結された第１抵抗（R1）と第２抵抗（R2）とに連結されるが、この時、第１抵抗（R1）はフィードバック抵抗として第１ＯＰアンプ（OP1）の出力端に連結され、第２抵抗（R2）は感知された共通電極歪曲電圧（Vcomd）に連結される。
【００３１】
動作時、第１ＯＰアンプ（OP1）の反転入力端は第２抵抗（R2）を通じて感知された共通電極歪曲電圧（Vcomd）の入力を受けて出力端を通じて出力電圧（Vout）を出力し、前記出力電圧（Vout）は第１キャパシター（C1）を通じてDC成分が除去され、AC成分だけが伝達されて相殺電圧（Vcstd）をストレージキャパシター（Cst）の他端に出力する。
【００３２】
前記図６ａによる相殺電圧発生部の具体的な動作を数式によって説明する。
まず、図６ａに示したＯＰアンプの特性は下記の数式６のように整理できる。Vout＝−（R1/R2）・Vcomd＋（１＋（R1/R2））・Vcom        …（数式６）
また、共通電極歪曲電圧（Vcomd）はAC成分とDC成分とが含まれるので、下記の数式７のように整理できる。
Vcomd＝Vcomd（AC）＋Vcomd（DC）
＝Vcomd（AC）＋Vcom              …（数式７）
したがって、前記数式７を前記数式６に代入して整理すると、出力電圧（Vout）は下記の数式８のようになる。
Vout＝−（R1/R2）［Vcomd（AC）＋Vcom］＋（１＋（R1/R2））Vcom
＝−（R1/R2）・Vcomd（AC）＋R1/R2・Vcom                      …（数式８）
ここで、<−R1/R2*Vcomd（AC）>項はAC成分であり、<R1/R2*Vcom>項はDC成分であるが、前記出力電圧（Vout）は第１キャパシター（C1）を経由するため、第１キャパシター（C1）と第３抵抗（R3）によるストレージキャパシターの充電電圧（Vcst）へのレベルシフト回路にはAC成分である<−R1/R2*Vcomd（AC）>成分だけが伝達される。
【００３３】
もちろん、共通電極電圧（Vcom）と同一な大きさのストレージキャパシターの充電電圧（Vcst）をストレージキャパシター（Cst）に印加しようとする場合には、前記DC成分のフィルタリング過程なしで出力電圧（Vout）をストレージキャパシター（Cst）の他端に直接印加することもできる。
前記図６ａによる回路を液晶パネルに適用した等価回路を図６ｂに図示する。
【００３４】
図６ｂは本発明の実施例による液晶表示装置の等価回路図である。
図６ｂを参照すると、本発明による液晶パネルの等価回路で、Vsrcはデータドライバーの出力電圧がデータラインに印加される波形であり、これは寄生キャパシターであるＣｃｏｍ（またはCpar）によって共通電極とカップリングされる。これは、DC成分である共通電極電圧を共通電極歪曲電圧のように歪曲させ、共通電極歪曲電圧は所定の比率（R1/R2）で反転増幅されてストレージキャパシター充電電圧（Vcst）に第１キャパシター（C1）を通じてACの歪曲成分だけが伝達され、これによって相殺電圧（Vcstd）にはストレージキャパシター充電電圧（Vcst）基準に共通電極歪曲電圧が加えられてクロストーク補償用電圧が作られる。
【００３５】
図７は、前記図６ｂのシミュレーション結果を説明するための波形図であって、特に、第１抵抗（R1）と第２抵抗（R2）とを同一にした場合、つまり、液晶キャパシター（CLC）の容量とストレージキャパシター（Cst）の容量とを同一と仮定した場合の補償波形図である。
図６ｂと図７とを参照すると、データラインに印加されるデータ電圧（Vsrc）の波形とカップリングされて共通電極電圧（Vcom）が歪曲される現象を確認することができ、共通電極歪曲電圧（Vcomd）のAC成分とは逆位相でストレージキャパシター（Cst）に印加される相殺電圧（Vcstd）波形が発生することが確認できる。
【００３６】
もし、液晶キャパシター（CLC）の容量とストレージキャパシター（Cst）の容量とを相異するように設計する場合、第１抵抗と第２抵抗との比率を液晶キャパシター（CLC）とストレージキャパシター（Cst）との容量比に設定すれば最適の補償波形が発生し得る。
以上で説明したように、本発明は、液晶キャパシターに印加される共通電極電圧の歪曲程度が異なっても同一なピクセル電圧充電率を有するようにするものであって、特に、従来の共通電極の歪曲によって発生する液晶キャパシターの充電率不足をストレージキャパシターに過剰充電されるようにし、ピクセル側では液晶キャパシターとストレージキャパシターとによる充電率の差によって液晶キャパシターの充電率不足分を相殺するため、共通電極電圧の歪曲程度が異なっても同一なピクセル電圧充電率を維持してクロストークを防止することができる。
【００３７】
前記では本発明の好ましい実施例を参照して説明したが、該当技術分野の熟練した当業者であれば、特許請求の範囲に記載された本発明の思想及び領域から逸脱しない範囲内で本発明を多様に修正及び変更させることができる。
【００３８】
【発明の効果】
以上で説明したように、本発明によれば、液晶キャパシターに印加される共通電極電圧の歪曲によって不足する充電率を補償するためにストレージキャパシターを過剰充電させることによって、クロストークが最少化された良質の画質を得ることができる。
【図面の簡単な説明】
【図１】  クロストークを説明するための波形図である。
【図２】  本発明の実施例による液晶表示装置を説明するための図面である。
【図３】  一般に印加される共通電極電圧と本発明によって印加される相殺電圧とを各々説明するための波形図である。
【図４】  本発明によって液晶パネルに印加される共通電極電圧と相殺電圧とを説明するための図面である。
【図５ａ】  前記図２の共通電極電圧感知部の一例を説明するための図面である。
【図５ｂ】  前記図２の共通電極電圧感知部の他の一例を説明するための図面である。
【図６ａ】  前記図２の相殺電圧発生部の一例を説明するための図面である。
【図６ｂ】  本発明の実施例による液晶表示装置の等価回路図である。
【図７】  前記図６ｂのシミュレーション結果を説明するための図面である。
【符号の説明】
１００  駆動電圧発生部
２００  歪曲感知部
３００  相殺電圧発生部
４００  液晶パネル
【図１】
0004157727.tif 000002
【図２】
0004157727.tif 000003
【図３】
0004157727.tif 000004
【図４】
0004157727.tif 000005
【図５ａ】
0004157727.tif 000006
【図５ｂ】
0004157727.tif 000007
【図６ａ】
0004157727.tif 000008
【図６ｂ】
0004157727.tif 000009
【図７】
0004157727.tif 000010